(57)【要約】  アプリケーションのランタイム中のユーザー行動の評価を特徴とするモバイルＩＰベースのマルチメディア・サブシステム、ＩＭＳ、における統計データを収集する方法である。
2009517892.tif 000002
【特許請求の範囲】
【請求項１】
アプリケーションのランタイム中のユーザー行動の評価を特徴とするモバイルＩＰベースのマルチメディア・サブシステム（ＩＭＳ）における統計データを収集する方法。
【請求項２】
オンライン統計および広告サーバー（ＯＳＡＳ）（１８）は、アプリケーション・サーバーとして、ＩＭＳに統合される請求項１に記載の方法。
【請求項３】
ＩＰベースのサービスのためのＯＳＡＳ（１８）は、ランタイム中の統計データを収集および評価する請求項１または２に記載の方法。
【請求項４】
ＯＳＡＳ（１８）は、収集される統計データに依存して、接続確立中に、加入者の端末装置（１０）に情報を送ることができる請求項１から３のうちのいずれか１項に記載の方法。
【請求項５】
情報は、画像、テキスト、音楽およびビデオなどの異なる（マルチメディア）メディアに委託される請求項４に記載の方法。
【請求項６】
ＯＳＡＳ（１８）の呼び出し(Aufruf)のためのトリガー・ポイントは、家庭加入者サーバー（ＨＳＳ）（１６）で利用可能であるＩＭＳ加入者プロファイルにおいて配列される請求項１から５のうちのいずれか１項に記載の方法。
【請求項７】
ＯＳＡＳ（１８）は、関連ＳＩＰシグナル伝達のすべて、およびセッション設定中の信号データを利用可能であり、それからオンラインのすべての関連パラメーターを決定することができる請求項１から６のうちのいずれか１項に記載の方法。
【請求項８】
パラメーターは、
‐  発信元および受信先アドレス・フィールド
‐  電話の相手Ａ  
‐  電話の相手Ｂ
‐  使用されるサービス−使用されるコード
‐  セッション継続期間
‐  ＩＯＩのような関連相互オペレーターの請求総額(die Vergebuehrung)について
‐  原則として、対応するＳＩＰメッセージ（例えば、ＳＩＰ  ｉｎｖｉｔｅ）のすべての情報
‐  その他のＳＩＰおよびＳＤＰパラメーター
を備える請求項７に記載の方法。
【請求項９】
システムが対応するアプリケーションを実行する間、データを収集するデータ処理ユニットであることを特徴とするモバイルＩＰベースのマルチメディア・サブシステムにおける統計データを収集するシステム。
【請求項１０】
データ処理ユニットは、オンライン統計および広告サーバー（ＯＳＡＳ）（１８）である請求項９に記載のシステム。
【請求項１１】
ＯＳＡＳ（１８）は、ＩＭＳの呼び出し状態制御機能（ＣＳＣＦ）（１５）に接続される請求項９または１０に記載のシステム。
【発明の詳細な説明】
【技術分野】
【０００１】
本発明は、モバイル３ＧＰＰ  ＩＰベースのマルチメディア・サブシステム（ＩＭＳ）におけるランタイム中のユーザー行動を収集するための方法に関するものである。
【背景技術】
【０００２】
モバイル通信システムにおける同時統計システムは、コール・データ・レコード（ＣＤＲ）と呼ばれる接続データの評価に大部分基づいている。接続データは、音声接続の後、普通生成される。接続データの評価のゆえに、モバイル・システムにおいて自分のＭＳＩＳＤＮおよびＩＭＳＩによって名前を名のる個々の通信加入者のユーザー行動に関して、重要な結論を引き出すことができる。加入者（顧客）は、ユーザー行動によって左右され、メールなどにて、めいめいに情報を与えられることができ、例えば各種料金などのある面について通知を受けることができる。
【０００３】
現在、ＩＭＳまたはＳＩＰベースのサービスの統計は、接続データが特殊収集機能によって評価されることによって収集される。ＣＤＲは、例えばＦＴＰ（ファイル転送プロトコル）を用いる料金徴収機能から取り出される。ＣＤＲは、その後プロバイダーまたはネットワーク・オペレーターのＩＴおよびデータ・ウェアハウス・システムにおいてオフラインで評価される。その結果は解釈され、サービスに左右されるユーザー行動に関する結論を引き出すことができる。例えば、リーフレット（ちらし）の作成、郵便物での広告など、これらの結論の後に、ネットワーク・オペレーターまたはサービス・プロバイダーの一連の対策が続く。
【発明の開示】
【発明が解決しようとする課題】
【０００４】
今までのところ、統計の収集のため、およびユーザー行動の収集のための方法は、長い時間がかかり、そのためユーザー行動に容易に対応することができない。その結果、モバイルＩＭＳ通信ネットワークにおけるランタイム中のユーザー行動を収集するための改良された方法およびシステムを特定することが、本発明の課題である。
【課題を解決するための手段】
【０００５】
本課題は、内容がここに言及される独立請求項の特徴によって成し遂げられる本発明によるものである。
【０００６】
本発明の好適な実施形態は、内容がここに言及される従属請求項に特定される。
【０００７】
モバイル３ＧＰＰ  ＩＰベースのマルチメディア・サブシステム（ＩＭＳ）におけるランタイム中ユーザー行動を収集するための本発明による方法は、例えば広告、着メロ、画像および音楽ビデオの形式で、ユーザー行動に左右される情報をモバイル端末装置に送信することを可能にする。本方法は、ＩＭＳへのアプリケーション・サーバーとして統合される新しい技術的要素ＯＳＡＳ（オンライン統計および広告サーバー）に基づいている。ＯＳＡＳシステムを用いて、ＩＰベースのサービスのための統計データは、ランタイム中に収集され、評価されることができ、そのためランタイム中に、例えば接続の確立中に、加入者は、既に関連情報を提供されることができる。本情報は、画像、テキスト、音楽、ビデオなどのさまざまの（マルチメディア）メディアにおいて配信されることができる。
【０００８】
オンライン統計および広告サーバー（ＯＳＡＳ）
【０００９】
オンライン統計および広告サーバー（ＯＳＡＳ）は、ＩＭＳセッション・アプリケーションおよび対応するシグナル伝達通信量において価格非分離の新しいアプリケーション・サーバー構成要素である。ＣＤＲベースの統計と比較すると、導入部に記載のとおり、ＯＳＡＳには、以下の重要な利点がある。
【００１０】
‐  準リアルタイムでの、アプリケーションのランタイム中のユーザー行動のオンライン評価の実現性。その結果は、少なくとも数時間の遅延時間で接続されるＣＤＲの評価の場合のように、オフラインではなくオンラインで見られることができる。
【００１１】
‐  接続設定中および接続中、ユーザーについて収集される統計データに左右される加入者のオンライン広告および情報が可能である。
‐  例えば、料金選択肢を知らせることができる。
‐  例えば、新しいサービスを要請することができる。
‐  例えば、接続設定中に、媒体を送信することができる。
【００１２】
‐  接続設定中のユーザー・データおよび加入者行動を評価することの実現性は、下記のようなセッション設定中にＭＩＭＥ  タイプを使用するＩＭＳレベルで、例えばＴＭＯサウンドロゴ・サービスなどの類似した周知のＧＳＭサービス、オプションＩＭＳサービスを提供することさえ可能にする。
‐  画像［ｊｐｇ、ｔｉｆｆ、ｇｉｆ、…］
‐  テキスト［ＡＳＣＩＩ、ＵＴＦ８、…］
‐  音楽［サウンドロゴ・サービスの場合、ｗａｖ、ｍｐｅｇ  …など］
【００１３】
‐  ユーザー依存のデータを収集するリダイレクト・メカニズムを使用する概念は、インターネットおよびｈｔｔｐ通信（いわゆるアドサーバー・リダイレクト）でよく知られている。その概念の確認は、その結果、ＩＭＳベースのサービスに容易に利用されることが望ましい。
【００１４】
適用業務
ＩＭＳベースのサービスおよび統計のオンライン収集を用いることによって、ならびにオンライン広告および例えば下記のようなその他の情報を利用可能にすることによって、多くの適用業務を引き出すことができる。
‐  出力モバイル通信量用のプッシュ・トゥ・トーク（押して話す）・サーバーへの接続設定
‐  入力モバイル通信量用のプッシュ・トゥ・トーク・サーバーへの接続設定
‐  出力モバイル通信量用のビデオ電話通信のための接続設定
‐  入力モバイル通信量用のビデオ電話通信のための接続設定
‐  併用プッシュ・トゥ・トークへの接続設定および出力モバイル通信量用の存在サービス
【発明を実施するための最良の形態】
【００１５】
本発明は、図面の助けによって、以下に詳細に説明される。
【００１６】
図１は、実施例として、オンライン統計および広告サーバー（ＯＳＡＳ）のあるＩＭＳアーキテクチャーを示す。
図２は、ＯＳＡＳに依存する例えばビデオ電話通信用の出力モバイルの会話のための接続設定のコースを示す。
図３は、ＯＳＡＳに依存するプッシュ・トゥ・トークへの接続の確立の基本コースを示す。
【００１７】
アーキテクチャーおよび必要条件
図１は、既知の方法で、３つの主要な構成要素層のあるＩＭＳアーキテクチャーの概念図を示す。最上部には、音声および非音声ネットワークにおける、例えば、ＰｏＣアップリケーション・サーバー１７などの、最も異なるアプリケーション・サーバーを支持するアプリケーション層、ＡＳがある。サービスをアクティブまたは非アクティブにしたい加入者は、アプリケーション・サーバーに、その端末装置１０によって、例えばＧＰＲＳ  １１、ＵＭＴＳ  １２、ＷＬＡＮ  １３、ＤＳＬ  １４などの、そのそれぞれの通信ネットワークのウェブ・ポータルを経て、到達する。第２層は、ネットワーク・エンドポイントの登録のため、ならびにそれぞれのアプリケーション・サーバー１７および遠隔ＩＭＳネットワークへのＳＩＰシグナル伝達の経路指定のために、いわゆるコール・セッション制御機能、ＣＳＣＦ、１５を含む。第２層同様に第１層の構成要素は、適切なサービスの確定のためのより高いレベルの供給源であるホーム加入者サーバー、ＨＳＳ、１６を使用する。ＨＳＳ  １６は、個々の顧客サービス・プロファイルと、ＩＰアドレス、ローミング情報、メーリング・リストならびに予約コールおよびボイスメール・サービスなどの構成要素を照らし合わせる。トランスポートおよびエンドポイント層は、ＳＩＰシグナル伝達および音声のパケット化などのキャリア・サービスを経て、最終的にセッション設定を引き継ぐ。この層には、ＶｏＩＰからＴＤＭへの転換のためにメディア・ゲートウェイを自由に使用することができる。電子会議開催および音声認識などの、ボイスメールおよび双方向ＶＸＭＬを含む最も異なるアプリケーションで使用されるような機能については、メディア・サーバーの記憶領域が利用可能である。オンライン統計および広告サーバー、ＯＳＡＳ、１８は、ＣＳＣＦ  １５に接続されるアプリケーション・サーバー１７と同じ方法で提供される発明によるものである。
【００１８】
例えば、「デジタル携帯電話通信システム（第２＋相）」、ユニバーサル・モバイル通信システム（ＵＭＴＳ）、ＩＰマルチメディア・システム（ＩＭＳ）、第２段階（３ＧＰＰ  ＴＳ  ２３，２２８バージョン６．８．０公開６）などにおいて、３ＧＰＰ  ＵＭＴＳ公開５およびそれ以上につき標準化されるとおり、本発明によるアーキテクチャーは、ＩＭＳアーキテクチャーに基づく。この仕様は、全体として、ここの説明に含まれている。
【００１９】
利用可能なＨＳＳ  １６にあるＩＭＳ加入者プロファイルは、特別なアプリケーション・サーバー、特にＯＳＡＳ  １８のための新たなトリガー・ポイントを含む。ＯＳＡＳ  １８は、ＩＭＳのメッセージ・フロー（急上昇フロー）における新しいアプリケーションとして含まれる。ＯＳＡＳ  １８は、関連ＳＩＰシグナル伝達のすべて、およびセッション設定中のシグナル伝達データを利用できる。ＯＳＡＳは、ユーザー行動の収集に関連のあるすべてのパラメーターを、それから、すなわち下記から、確定および評価できる。
【００２０】
‐  発信元および受信先アドレス・フィールド
‐  電話の相手Ａ  
‐  電話の相手Ｂ
‐  使用されるサービス
‐  使用されるコード‐セッション継続期間
‐  ＩＯＩのような関連相互オペレーターの請求総額について
‐  原則として、対応するＳＩＰメッセージ（例えば、ＳＩＰ  ｉｎｖｉｔｅ）のすべての情報
‐  多くのその他のＳＩＰおよびＳＤＰパラメーター
【００２１】
高レベル会話フローの実施例
ａ）  図２は、例えば、ビデオ電話通信のための出力モバイルの接続設定を示す。
【００２２】
１．  ＳＩＰレジスター
モバイル端末装置１０は、呼び出し状態制御機能、ＣＳＣＦ、１５で記録するためのＳＩＰレジスター・メッセージを送る。成功した確認手続き（ここには図示せず）の後、ＨＳＳ  １６からの加入者のプロファイルは、ＣＳＣＦ  １５にロードされる。それは、ＯＳＡＳ機能が呼び出される特別なＯＳＡＳトリガーを含む。
【００２３】
２．  ＳＩＰ  ＩＮＶＩＴＥ（ＳＩＰ部分、ＳＤＰ部分）
モバイル端末装置１０は、ビデオ電話通信を開始するために、ＳＩＰセッション（例えば、ビデオ電話通信用）ＳＩＰ  ＩＮＶＩＴＥメッセージを、呼び出し状態制御機能１５に送る。ＳＩＰ  Ｉｎｖｉｔｅメッセージは、ＣＳＣＦ  １５によって受信を確認される。ＯＳＡＳトリガーは、同様に確認され、ＯＳＡＳ  １８へのメッセージの転送を引き受ける。
【００２４】
３．  ＳＩＰ  Ｉｎｖｉｔｅ（ＳＩＰ部分、ＳＤＰ部分）
ＯＳＡＳ  １８は、メッセージのＳＩＰ部分およびＳＤＰ部分からの転送されるＳＩＰ  ＩＮＶＩＴＥメッセージ・オンライン統計データから移動することができる。なおその上に、ＳＩＰ  Ｉｎｖｉｔｅにメディアを追加することができる。
【００２５】
４．  ＳＩＰ  Ｉｎｖｉｔｅ（ＳＩＰ部分、ＳＤＰ部分＋追加メディア）
ＳＩＰ  Ｉｎｖｉｔｅメッセージは、今度はＯＳＡＳ  １８によってＣＳＣＦ  １５に返送される。そのメッセージは、ＯＳＡＳ  １８によって加えられる追加メディアを含むことができる。
【００２６】
５．  Ｔｒｙｉｎｇ（暫定応答＋追加メディア・コンテンツ）
「前提応答」は、ＳＣＳＦ  １５によって、モバイル端末装置１０へ送られる。それは、ＯＳＡＳ  １８によって、テキスト広告、音楽（サウンドロゴ、着メロと類似）、画像またはＩＥＴＦ  ＭＩＭＥタイプによるその他のメディアなどの、加えられる追加メディアを含む。
【００２７】
６．  ＳＩＰ  Ｉｎｖｉｔｅ（ＳＩＰ部分、ＳＤＰ部分）
接続設定と同様にＳＩＰ  Ｉｎｖｉｔｅは、追加のメディアなしに、遠隔ネットワークに転送される。ＳＣＣＦ  １５は、例えば、ネットワーク・オペレーターまたはプロバイダーのガイドラインによって決まるＯＳＡＳに由来する追加メディアを消去する。
【００２８】
ｂ）  図３は、プッシュからトークへのための基本的携帯電話会話設定を示す。
【００２９】
１．  ＳＩＰレジスター
モバイル端末装置１０は、呼び出し状態制御機能、ＣＳＣＦ、１５で記録するためのＳＩＰレジスター・メッセージを送る。成功した確認手続き（ここには図示せず）の後、ＨＳＳ  １６からの加入者のプロファイルは、ＣＳＣＦ  １５にロードされる。それは、ＰｏＣトリガーおよび特別ＯＳＡＳトリガーを含む。
【００３０】
２．  ＳＩＰ  Ｉｎｖｉｔｅ（ＳＩＰ部分、ＳＤＰ部分）
【００３１】
３．  ＳＩＰ  Ｉｎｖｉｔｅ（ＳＩＰ部分、ＳＤＰ部分）
モバイル端末装置１０は、ＰｏＣ接続を確立するために、ＳＩＰメッセージをＣＳＣＦ  １６に送る。ＳＩＰ  Ｉｎｖｉｔｅメッセージは、ＣＳＣＦ  １５で受信を確認される。ＣＳＣＦ  １５は、ＰｏＣトリガーを利用できるようにして、その要求をＰｏＣアプリケーション・サーバー１７に転送する。
【００３２】
４．  ＳＩＰ  Ｉｎｖｉｔｅ（ＳＩＰ部分、ＳＤＰ部分、ＰｏＣ特定情報）
ＰｏＣサーバー１７は、ＩｎｖｉｔｅメッセージをＣＳＣＦ  １５に返送して、追加のＰｏＣ特定情報を供給する。
【００３３】
５．  ＳＩＰ  Ｉｎｖｉｔｅ（ＳＩＰ部分、ＳＤＰ部分）
ＳＩＰ  Ｉｎｖｉｔｅメッセージは、再度ＣＳＣＦ  １５で受信を確認される。ＯＳＡＳトリガーは、ＯＳＡＳ  １８へのＩｎｖｉｔｅメッセージの転送を引き受ける。
【００３４】
６．  ＳＩＰ  Ｉｎｖｉｔｅ（ＳＩＰ部分、ＳＤＰ部分＋追加メディア）
ＯＳＡＳ  １８は、オンライン統計をＳＩＰおよびＳＤＰ部分から削除することができ、なおその上に、メディアをＳＩＰ  Ｉｎｖｉｔｅメッセージに追加して、ＣＳＣＦ  １５に返送することができる。
【００３５】
７．    Ｔｒｙｉｎｇ（暫定応答＋追加メディア）
「前提応答」は、ＣＳＣＦ  １５によって、モバイル端末装置１０へ送られる。それは、ＯＳＡＳ  １８によって、テキスト広告、音楽（例えば、サウンドロゴ、着メロ、画像またはその他のメディア）などの、ＩＥＴＦ  ＭＩＭＥタイプによるその他のメディアなどの、加えられる追加メディアを含む。
【００３６】
８．  ＳＩＰ  Ｉｎｖｉｔｅ（ＳＩＰ部分、ＳＤＰ部分）
ＳＩＰメッセージは、遠隔ネットワークに転送され、例えばネットワーク・オペレーター仕様によって決まる追加メディア・コンテンツを含まない。ＣＳＣＦ  １５は、供給されるＯＳＡＳによって追加を引き受ける。
【００３７】
ＯＳＡＳ  １８は、モバイルネットワーク・オペレーターによって評価することができるように、非常に早いオンライン統計データを収集する手段を提供する。ＯＳＡＳ  １８は、例えば、発信音、広告画像、広告テキストなど、ＩＥＴＦ  ＭＩＭＥタイプによって、ユーザーの端末装置で再生されるように、接続設定中にシグナル・フローにおいてメディア・データを含む手段を提供する。
【００３８】
ＯＳＡＳの概念は、インターネットの世界では知られており、そこでは、ＨＴＴＰ（ハイパー・テキスト転送プロトコル）リダイレクトは、実際に広告目的で使用される。ＯＳＡＳは、サービスと加入者レベルの両方またはそのいずれかに関するオンライン統計データを評価し、適当な広告を顧客へ送るので、エンドユーザーに動的に影響を与えることが可能である。
略語
2009517892.tif 000003
【図面の簡単な説明】
【００３９】
【図１】図１は、実施例として、オンライン統計および広告サーバー（ＯＳＡＳ）のあるＩＭＳアーキテクチャーを示す。
【図２】図２は、ＯＳＡＳに依存する例えばビデオ電話通信用の出力モバイルの会話のための接続設定のコースを示す。
【図３】図３は、ＯＳＡＳに依存するプッシュ・トゥ・トークへの接続の確立の基本コースを示す。
【符号の説明】
【００４０】
１０  モバイル端末装置
１１  ＧＰＲＳ
１２  ＵＭＴＳ
１３  ＷＬＡＮ
１４  ＤＳＬ
１５  ＣＳＣＦ
１６  ＨＳＳ
１７  アプリケーション・サーバー
１８  ＯＳＡＳ
【図１】
2009517892.tif 000004
【図２】
2009517892.tif 000005
【図３】
2009517892.tif 000006
【手続補正書】
【提出日】平成19年5月26日(2007.5.26)
【手続補正１】
【補正対象書類名】特許請求の範囲
【補正対象項目名】全文
【補正方法】変更
【補正の内容】
【特許請求の範囲】
【請求項１】
接続設定中に通信参加者のサービス依存のユーザー行動の評価がアプリケーションを用いて実行されるＩＭＳは、オンライン統計および広告サーバー（ＯＳＡＳ）（１８）が、新しいアプリケーション・サーバー構成部分として、ＩＭＳセッション・アプリケーションおよび対応するシグナル伝達通信量に統合されること、ならびにＯＳＡＳ（１８）が、ランタイム中に、ＩＰベースのサービスのための統計データを収集し、また、接続確立中に、収集される統計データの機能として、加入者の端末装置（１０）に情報を送ることができることを特徴とするＩＭＳまたはマルチメディア・システムに基礎を置くモバイルＩＰベースのＳＩＰの統計データを収集する方法。
【請求項２】
情報は、画像、テキスト、音楽およびビデオなどの異なる（マルチメディア）メディアに委託される請求項１に記載の方法。
【請求項３】
ＯＳＡＳ（１８）の呼び出し(Aufruf)のためのトリガー・ポイントは、家庭加入者サーバー（ＨＳＳ）（１６）で利用可能であるＩＭＳ加入者プロファイルにおいて配列される請求項１から２のうちのいずれか１項に記載の方法。
【請求項４】
ＯＳＡＳ（１８）は、関連ＳＩＰシグナルおよびセッション設定中の信号データ伝達のすべてを利用可能であり、それからオンラインのすべての関連パラメーターを決定することができる請求項１から３のいずれか１項に記載の方法。
【請求項５】
パラメーターは、
‐  発信元および受信先アドレス・フィールド
‐  電話の相手Ａ  
‐  電話の相手Ｂ
‐  使用されるサービス
‐  使用されるコード
‐  セッション継続期間
‐  ＩＯＩのような関連相互オペレーターの請求総額(die Vergebuehrung)について
‐  対応するＳＩＰメッセージ（例えば、ＳＩＰ  ｉｎｖｉｔｅ）のすべての情報
‐  ＳＩＰおよびＳＤＰパラメーター
のうちの１つまたは複数の変数を備える請求項４に記載の方法。
【請求項６】
接続設定がアプリケーションを用いて実行される間、データを収集することを目的とするオンライン統計および広告サーバー（ＯＳＡＳ）（１８）の形式のデータ処理ユニットを特徴とする請求項１から５のいずれかに記載のＩＭＳまたは前記方法の実行のためのモバイルＩＰベースのマルチメディア・サブシステムにおけるＳＩＰベースのサービスの統計データの収集のためのシステム。
【請求項７】
ＯＳＡＳ（１８）は、ＩＭＳの呼び出し状態制御機能（ＣＳＣＦ）（１５）に接続される請求項６に記載のシステム。
【手続補正２】
【補正対象書類名】明細書
【補正対象項目名】０００４
【補正方法】変更
【補正の内容】
【０００４】
今までのところ、統計の収集のため、およびユーザー行動の収集のための方法は、長い時間がかかり、そのためユーザー行動に容易に反応することができない。
公開ＥＰ  １  ５５１  １４４  Ａ１およびＷＯ  ０２／０９８０９９  Ａ１において、方法および設備は、モバイルＩＰベースのマルチメディア・サブシステム、ＩＭＳにおけるＩＭＳまたはＳＩＰベースのサービスの利用中の通信参加者のユーザー・データの探知および収集のために開示され、そしてそれによって、接続設定中の通信参加者のサービスに左右されるユーザー行動の評価が、実施される。
その結果、モバイルＩＭＳ通信ネットワークにおいて改良された顧客情報を可能にするモバイルＩＭＳ通信ネットワークにおけるランタイム中のユーザー行動を収集するための方法およびシステムを特定することが、本発明の課題である。
【手続補正３】
【補正対象書類名】明細書
【補正対象項目名】００１７
【補正方法】変更
【補正の内容】
【００１７】
アーキテクチャーおよび必要条件
図１は、既知の方法で、３つの主要な構成要素層のあるＩＭＳアーキテクチャーの概念図を示す。最上部には、音声および非音声ネットワークにおける、例えば、ＰｏＣアップリケーション・サーバー１７などのＡＳがある。サービスをアクティブまたは非アクティブにしたい加入者は、アプリケーション・サーバーに、その端末装置１０によって、例えばＧＰＲＳ  １１、ＵＭＴＳ  １２、ＷＬＡＮ  １３、ＤＳＬ  １４などの、そのそれぞれの通信ネットワークのウェブ・ポータルを経て、到達する。第２層は、ネットワーク・エンドポイントの登録のため、ならびにそれぞれのアプリケーション・サーバー１７および遠隔ＩＭＳネットワークへのＳＩＰシグナル伝達の経路指定のために、いわゆるコール・セッション制御機能、ＣＳＣＦ、１５を含む。第２層同様に第１層の構成要素は、適切なサービスの確定のためのより高いレベルの供給源であるホーム加入者サーバー、ＨＳＳ、１６を使用する。ＨＳＳ  １６は、個々の顧客サービス・プロファイルと、ＩＰアドレス、ローミング情報、メーリング・リストならびに予約コールおよびボイスメール・サービスなどの構成要素を照らし合わせる。トランスポートおよびエンドポイント層は、ＳＩＰシグナル伝達および音声のパケット化などのキャリア・サービスを経て、最終的にセッション設定を引き継ぐ。この層には、ＶｏＩＰからＴＤＭへの転換のためにメディア・ゲートウェイを自由に使用することができる。電子会議開催および音声認識などの、ボイスメールおよび双方向ＶＸＭＬを含む最も異なるアプリケーションで使用されるような機能については、メディア・サーバーの記憶領域が利用可能である。オンライン統計および広告サーバー、ＯＳＡＳ、１８は、ＣＳＣＦ  １５に接続されるアプリケーション・サーバー１７と同じ方法で提供される発明によるものである。
【手続補正４】
【補正対象書類名】明細書
【補正対象項目名】００１８
【補正方法】変更
【補正の内容】
【００１８】
例えば、「デジタル携帯電話通信システム（第２＋相）」、ユニバーサル・モバイル通信システム（ＵＭＴＳ）、ＩＰマルチメディア・システム（ＩＭＳ）、第２段階（３ＧＰＰ  ＴＳ  ２３，２２８バージョン６．８．０公開６）などにおいて、３ＧＰＰ  ＵＭＴＳ公開５およびそれ以上につき標準化されるとおり、本発明によるアーキテクチャーは、ＩＭＳアーキテクチャーに基づく。本仕様の内容について言及がなされる。
【手続補正５】
【補正対象書類名】明細書
【補正対象項目名】００１９
【補正方法】変更
【補正の内容】
【００１９】
ＨＳＳ  １６において利用可能なＩＭＳ加入者プロファイルは、特別なアプリケーション・サーバー、特にＯＳＡＳ  １８のための新たなトリガー・ポイントを含む。ＯＳＡＳ  １８は、メッセージ・フロー（急上昇フロー）における新しいアプリケーションとして含まれる。ＯＳＡＳ  １８は、関連ＳＩＰシグナル伝達のすべて、およびセッション設定中のシグナル伝達データを利用できる。ＯＳＡＳは、ユーザー行動の収集に関連のあるすべてのパラメーターを、それから、すなわち下記から、確定および評価できる。
【国際調査報告】
2009517892.tif 000007
2009517892.tif 000008
2009517892.tif 000009
2009517892.tif 000010
2009517892.tif 000011
2009517892.tif 000012